(57)【要約】【課題】吸気フィルターの紛失等を防ぐべく、吸気フィルターを誘導加熱調理器本体の最外側に位置させず、しかも吸気フィルターを着脱自在にすること。【解決手段】吸気フィルター１１の外側に吸気フィルター１１の着脱を可能にさせ、かつ、指が冷却ファン９の羽部に触れない程度の開口部Ｃを持ち、かつ、吸気フィルター１１の貫通穴１１ａより大きく指が入らない程度の大きさの開口孔１２ａを持った、誘導加熱調理器本体に固定された保護カバー１２を設ける。【選択図】図３
2006302647.tif 000002
【特許請求の範囲】
【請求項１】
本体内に、誘導加熱コイルと、この誘導加熱コイルを駆動する駆動回路と、前記誘導加熱コイル及び駆動回路を冷却する冷却ファンを少なくとも備えている誘導加熱調理器において、前記冷却ファンの吸気開口部の外側に、着脱自在なる複数の貫通穴を有する吸気フィルターを設け、更にこの吸気フィルターの最外側には、この吸気フィルターの着脱を可能にして、かつ、指が冷却ファンの羽部に触れない程度の開口孔を複数有すると共に、この開口孔は前記吸気フィルターの貫通穴より大きくして構成された保護カバーが、誘導加熱調理器本体に固定されて設けられていることを特徴とする誘導加熱調理器。
【請求項２】
前記保護カバーは、一端を開放し、他端を誘導加熱調理器本体にビス止め固定され、吸気フィルターを所定の位置に誘導すべくガイドの凸部を設けたことを特徴とする請求項１記載の誘導加熱調理器。
【発明の詳細な説明】
【技術分野】
【０００１】
本発明は、誘導加熱調理器に関するものである。
【背景技術】
【０００２】
誘導加熱調理器の構成は、セラミック等により構成された調理プレートの下部に誘導加熱コイル、回路装置等を配し、また前記回路装置を冷却するための冷却ファンを設けたものが一般的である。
【０００３】
回路装置には、冷却ファンにより送風された空気とともに埃等が付着していった場合回路の誤作動を起こす恐れがあるため、吸気口には埃等の吸い込みを防ぐ吸気フィルターを設けることで課題を解決している。
【０００４】
この吸気フィルターには、当然埃等が付着していくために冷却効率が低下するので、定期的な清掃が必要であり、清掃を簡単にできるように吸気フィルターを着脱自在に行なわせる技術（特許第３２４６２７２号）が提案されている。
【０００５】
ところで、昨今飲食店等の客席用テーブルにおいて鍋物等を行なう場合、噴き熱水等によって生じる消火に伴う不燃焼ガス発生等に対する安全性の面から、ガスコンロに変わり誘導加熱調理器を組み込むことが増えてきている。
【０００６】
客席用テーブルに設置された誘導加熱調理器の吸気口は、不特定多数の客が手を触れる位置にあり、飲食店等では、当然飲酒等もともなうため、吸気フィルターが誘導加熱調理器本体の最外側に位置し、しかも着脱自在である場合には、いたずらされ吸気フィルターを紛失してしまうおそれがあった。
【０００７】
以下に従来の実施例を図に基づいて説明する。図１は、客席用テーブルに組み込まれた誘導加熱調理器の取り付け形態の１例を示す図、図６は、従来の誘導加熱調理器の実施例の断面図である。
客席用テーブル１に開口部１ａを設け、誘導加熱調理器本体が、前記開口部１ａに落とし込まれて固定されている。一般的には、調理プレート２と客席用テーブル１面を略同一面とし、前記調理プレート２と前記開口部１ａの縁をシリコン系の接着剤（図示せず）にて固定される。
調理プレート２の下部には、誘導加熱コイル７、回路装置８等を配し、また前記回路装置８を冷却するための冷却ファン９を収納した本体ケース３が設けられている。
冷却ファン９の吸気部４は、本体ケース３の底面に設けられ、排気口５は、前記本体ケース３の側面に配置されている。
客席用テーブル１の両側には、客が座り飲食することとなる。よって、冷却ファン９の吸気部４は、開放された客席用テーブル１の下側に配置され、室内の空気を吸い込むこととなり、しかも飲食する客がこの吸気部４に触れることができる位置関係にある。
なお、誘導加熱調理器を操作する、操作部６は、客席用テーブル１の縁部に固定されて、従業員および飲食する客等により操作される。
【０００８】
特に図６は、前記本体ケース３の拡大した実施例の吸気部４断面説明図であり、冷却ファン９の下方外側には、指が入らない程度の複数の穴１９ａを設けた保護ガードを兼ねた吸気口１９を本体ケース３に一体に設けられている。更に前記保護ガードを兼ねた吸気口１９の下方外側に着脱自在なる吸気フィルター１１が設けられている。
このような場合は、最外側である前記吸気フィルター１１の取り外しは容易であるため吸気フィルター１１の清掃作業は簡単であるが、一方では飲食する客等により容易に取り外され、かつ保護ガードを兼ねた吸気口１９が直接露呈され、一般にこの保護ガードを兼ねた吸気口１９の肉厚は薄く、本体と共に樹脂で一体に構成されているので壊され易い。しかも、一度壊れた場合には再生を施すことが出来ず、指が冷却ファン９に接触する安全上の危険性が長期に亘って生じる。
【０００９】
【特許文献１】特許第３２４６２７２号公報
【発明の開示】
【発明が解決しようとする課題】
【００１０】
本発明は、吸気フィルターの紛失等を防ぐべく、吸気フィルターを誘導加熱調理器本体の最外側に位置させず、しかも吸気フィルターが着脱自在に容易にできることを目的としている。
【課題を解決するための手段】
【００１１】
本発明に係る電磁誘導加熱調理器は、上述した目的を達成するため、一つは、誘導加熱調理器本体の冷却ファン用吸気開口孔の外側に、着脱自在なる複数の貫通穴を有する吸気フィルターを設け、更にこの吸気フィルターの外側には、この吸気フィルターの自由着脱を可能にして、かつ、指が冷却ファンの羽部に触れない程度の開口を複数有すると共に、この開口は前記吸気フィルターの貫通穴より大きくして構成された保護カバーを誘導加熱調理器本体に固定して設けられていることを特徴とする誘導加熱調理器である。
【００１２】
もう一つは、前記保護カバーの一端を開放し、他端を誘導加熱調理器本体にビス止め固定され、吸気フィルターを所定の位置に誘導すべくガイドの凸部を設けたことを特徴とする誘導加熱調理器である。
【発明の効果】
【００１３】
本発明に係る誘導加熱調理器によれば、以下のような効果が得られる。
【００１４】
（ア）吸気フィルターの外側に、誘導加熱調理器本体に固定された保護カバーを配しているので、客席用テーブルで飲食する客には、吸気フィルターの存在がわかりにくく、いたずら等による吸気フィルターの紛失等を防止できる。
【００１５】
（イ）保護カバーには、前記吸気フィルターの着脱を可能にさせた開口を備えているので、吸気フィルターを掃除する飲食店の従業員等は、吸気フィルターを簡単に取り外して掃除する事ができる。
【００１６】
（ウ）誘導加熱調理器本体に固定された保護カバーは、吸気フィルターの貫通穴より大きく指が入らない程度の大きさの開口孔を備えているので、前記吸気フィルターをはずした状態でも、指が冷却ファンの羽部に触れることはない。
そのため、冷却ファンの吸気口に直接保護ガードを設ける必要がなく、冷却ファンの羽の直径に相対する穴のみの加工とする事ができ形状を簡素化できる。
【発明を実施するための最良の形態】
【００１７】
以下、本発明を実施するための最良の形態について、添付した図面を参照しながら詳細に説明する。
【００１８】
図２は、本発明の実施例の断面図であり、図３，図４，図５は、吸気部断面の拡大図である。従来の如く、冷却ファン９の下方外側に指の入らぬ複数の小穴１９ａを有する前記保護ガードを本体ケース３と一体形成してなる吸気口１９を設けず、本発明は冷却ファン９の羽の直径に相対する穴のみの簡素化した加工形状で吸気口１０を形成している。
前記吸気口１０の下方外側には着脱自在なる吸気フィルター１１が設けられている。この吸気フィルター１１には、空気中の埃の通過を低減すべく複数の貫通穴１１ａが設けてある。この吸気フィルター１１は、本体ケース３と内側立ち下がり壁１３、外側立ち下がり壁１４の中に設けられ、後述する保護カバー１２と外側立ち下がり壁１４との間に生じる開口部Ｃより挿入し、先端が反対面の内側立ち下がり壁１３に設けられた１部フランジ形状の内側爪１５の上に収まる。
保護カバー１２の底面に設けられた、凸部１８はなだらかな傾斜を持ち吸気フィルター１１を挿入していく過程で、内側爪１５に収まる様に凸部１８に誘導される。
その後吸気フィルター１１を上に上げれば、本体ケース３から立ち下げられた外側立ち下がり壁１４面部に設けられた外側爪１６の上に収まり、吸気フィルター１１は所定の位置に収納されることとなる（図３参照）。本体ケース３はＰＰ樹脂等で製作され、外側爪１６が設けられている外側立ち下がり壁１４は、弾性を持たせている。また外側爪１６は上下の面共に適度なテーパを持たせている。そのため吸気フィルター１１を下げ、外側爪１６を乗り越させた後（図４参照）、横に引き出せば、吸気フィルター１１を取り外すことができる（図５参照）。
【００１９】
前記吸気フィルター１１を出し入れする前記開口部Ｃは、吸気フィルター１１の着脱を可能にさせ、かつ、指が冷却ファン９の羽部に触れない程度に開けられており、その開口部Ｃの幅は８ｍｍ程度がのぞましい。
【００２０】
次に上述した保護カバー１２は、吸気フィルター１１の貫通穴１１ａより大きく指が入らない程度の大きさの開口孔１２ａが複数設けられており、目詰まりを防止すると共に、吸気フィルター１１が外された時でも、指が冷却ファン９の羽部に触れることがないように、吸気フィルター１１の下方の最外側に、この吸気フィルター１１を覆う様にネジ１７にて本体ケース３に固定されている。
【００２１】
また、前記保護カバー１２の一端は、外側立ち下がり壁１４の内側に位置し、かつ自由端にして吸気フィルター１１の出し入れを可能にした前記開口部Ｃを形成し、他端は、前記内側立ち下がり壁１３側の誘導加熱調理器の本体ケース３にネジ１７で止め固定されている。
【００２２】
このようにして吸気部４を構成することにより、客席用テーブル１で飲食する客には、吸気フィルター１１の存在がわかりにくく、いたずら等による吸気フィルター１１の紛失等が防止でき、吸気フィルター１１を掃除する飲食店の従業員等は、吸気フィルター１１を簡単にはずし掃除する事ができ、吸気フィルター１１をはずした状態でも、指が冷却ファン９の羽部に触れることが防止できる誘導加熱調理器を提供することができる。
【図面の簡単な説明】
【００２３】
【図１】誘導加熱調理器の取り付け図。
【図２】本発明一実施例の断面説明図。
【図３】本発明の吸気部の拡大断面図（フィルターを収めた状態）。
【図４】本発明の吸気部の拡大断面図（フィルターを収める直前の状態）。
【図５】本発明の吸気部の拡大断面図（フィルターを取り外した状態）。
【図６】従来の実施例の断面図。
【符号の説明】
【００２４】
１    客席用テーブル
２    調理プレート
３    本体ケース
４    吸気部
５    排気口
６    操作部
７    誘導加熱コイル
８    回路装置
９    冷却ファン
１０    吸気口
１１    吸気フィルター
１２    保護カバー
１３    内側立ち下がり壁
１４    外側立ち下がり壁
１５    内側爪
１６    外側爪
１７    ネジ
１８    凸部
１９    保護ガードを兼ねた吸気口
【図１】
2006302647.tif 000003
【図２】
2006302647.tif 000004
【図３】
2006302647.tif 000005
【図４】
2006302647.tif 000006
【図５】
2006302647.tif 000007
【図６】
2006302647.tif 000008